(57)【要約】【課題】空気から製造された酸素ガスの放風を最小限にする、ことを目的とする。【解決手段】ＩＧＣＣプラントは、空気から酸素ガスと窒素ガスとを分離するＡＳＵ、酸化剤を用いて石炭をガス化させる石炭ガス化炉、及び石炭ガス化炉によって生成されたガスを燃焼させた燃焼ガスによって駆動するガスタービンを備える。ＩＧＣＣプラントの制御装置５０は、ＡＳＵによって製造される窒素ガスの製造量を、ＩＧＣＣプラントの運転負荷に応じて決定する空気分離量決定部５２を備え、決定した窒素ガスの製造量に応じて副生された酸素ガスの全量を、石炭ガス化炉へ供給する。【選択図】図３
2014214706.tif 000002
【特許請求の範囲】
【請求項１】
空気から酸素ガスと窒素ガスとを分離する空気分離装置、前記酸素ガスを酸化剤として炭素含有燃料をガス化させるガス化炉、及び前記ガス化炉によって生成されたガスをガス精製設備で精製して得られる燃料ガスを燃焼させた燃焼ガスによって駆動するガスタービンを備えるガス化発電プラントの制御装置であって、
前記空気分離装置によって製造される前記窒素ガスの製造量を、前記ガス化発電プラントの運転負荷に応じて決定する空気分離量決定部を備え、
前記空気分離量決定部によって決定された前記窒素ガスの製造量に応じて副生された酸素ガスの全量を、前記ガス化炉へ供給するガス化発電プラントの制御装置。
【請求項２】
前記ガス化炉へ供給される酸化剤の合計量を、前記ガスタービンから抽気される空気量によって調整する請求項１記載のガス化発電プラントの制御装置。
【請求項３】
前記ガス化発電プラントの運転負荷は、前記ガス化発電プラントに対する出力指令値である請求項１又は請求項２記載のガス化発電プラントの制御装置。
【請求項４】
前記ガス化炉は、ガス化炉内のスラグを溶融するスラグ溶融バーナを備え、
前記スラグ溶融バーナが用いられる場合、前記空気分離装置で製造された酸素ガスは、炭素含有燃料をガス化させるバーナよりも前記スラグ溶融バーナに優先して供給される請求項１から請求項３の何れか１項記載のガス化発電プラントの制御装置。
【請求項５】
前記ガス化発電プラントは、前記ガスタービンの空気圧縮機より抽気した空気又は該空気より分離される酸素を前記ガス化炉の酸化剤として供給する酸化剤供給路を備え、
前記ガス化発電プラントが静定状態の場合、炭素含有燃料の理論燃焼酸化剤量に対して前記ガス化炉に供給される酸化剤量の比である空気比を固定とする空気比固定モードとし、前記ガス化炉の運転状態量又は前記ガス化発電プラントの負荷が変動した場合、前記空気比を変動可能とする空気比変動モードとする請求項１から請求項４の何れか１項記載のガス化発電プラントの制御装置。
【請求項６】
前記ガス化発電プラントは、前記ガスタービンの空気圧縮機より抽気した空気又は該空気より分離される酸素を前記ガス化炉の酸化剤として供給する酸化剤供給路を備え、
前記ガス化炉の運転状態量の変動又は前記ガス化発電プラントの負荷の変動に応じて、炭素含有燃料の理論燃焼酸化剤量に対して前記ガス化炉に供給される酸化剤量の比である空気比が予め定められた設定値からずれることを許容して、前記ガス化炉に供給する酸化剤量を所定の上限値内で制御する請求項１から請求項４の何れか１項記載のガス化発電プラントの制御装置。
【請求項７】
空気から酸素ガスと窒素ガスとを分離する空気分離装置と、
前記酸素ガスを酸化剤として炭素含有燃料をガス化させるガス化炉と、
前記ガス化炉によって生成されたガスをガス精製設備で精製して得られる燃料ガスを燃焼させた燃焼ガスによって駆動するガスタービンと、
請求項１から請求項６の何れか１項記載の制御装置と、
を備えるガス化発電プラント。
【請求項８】
空気から酸素ガスと窒素ガスとを分離する空気分離装置、前記酸素ガスを酸化剤として炭素含有燃料をガス化させるガス化炉、及び前記ガス化炉によって生成されたガスをガス精製設備で精製して得られる燃料ガスを燃焼させた燃焼ガスによって駆動するガスタービンを備えるガス化発電プラントの制御方法であって、
前記空気分離装置によって製造される窒素ガスの製造量を、前記ガス化発電プラントの運転負荷に応じて決定する第１工程と、
前記空気分離量決定部によって決定された窒素ガスの製造量に応じて副生された酸素ガスの全量を、前記ガス化炉へ供給する第２工程と、
を含むガス化発電プラントの制御方法。
【発明の詳細な説明】
【技術分野】
【０００１】
本発明は、ガス化発電プラントの制御装置、ガス化発電プラント、及びガス化発電プラントの制御方法に関するものである。
【背景技術】
【０００２】
従来、例えば、石炭火力プラントの発電効率を向上させるため、石炭ガス化複合発電（ＩＧＣＣ；Integrated  Gasification  Combined  Cycle）プラントが、開発・実用化されている。このＩＧＣＣプラントは、ガス化炉によって石炭をガス化して得られる生成ガスをガス精製設備で精製して得られる可燃性ガスを燃料として運転するガスタービンと、ガスタービンの排熱を回収して得られる蒸気により運転する蒸気タービンとを備えた構成とされている。
【０００３】
特許文献１には、空気中の窒素と酸素を沸点の違いを利用して分留する酸素製造装置によって製造した酸素又は酸素富化空気を用いて石炭をガス化し、ガスタービンにより発電する石炭ガス化発電プラントが開示されている。
【０００４】
また、特許文献２に開示されているように、石炭ガス化炉の下部にスラグ溶融バーナが設置されている装置もある。通常、石炭ガス化炉のコンバスタ内の温度は、石炭中の灰分の溶融温度以上となるように維持されているが、運転状態や石炭性状の変動等により石炭中の灰分が一時的に排出不良になる場合がある。このようなときにスラグ排出口下部に設置されているスラグ溶融バーナによって、スラグを溶融させる。
【先行技術文献】
【特許文献】
【０００５】
【特許文献１】特開平１１−２２４８５号公報
【特許文献２】特開２０１０−９１１９３号公報
【発明の概要】
【発明が解決しようとする課題】
【０００６】
窒素ガスで搬送した微粉炭を石炭ガス化炉へ燃料として供給する噴流床ガス化炉では酸素濃度が、ガス化炉に投入される入熱を規定するパラメータであるガス化炉入力指令（ＧＩＤ；Gasifier  Input  Demand）に対して一定となるように酸化剤の供給量をフィードバック制御（酸素濃度一定制御）している（図１２参照）。なお、ここでいう酸素濃度とは、石炭ガス化炉のコンバスタ部へ供給される空気及び酸素ガス等の酸化剤と搬送用の窒素ガス等に代表されるイナートガスの合計ガス量に占める酸素濃度である。
特に、空気吹きのＩＧＣＣプラントでは、石炭ガス化炉へ供給される空気として、ガスタービンが有する圧縮機からの抽気を空気昇圧機にて再加圧して使用し、酸素ガスは空気分離設備(ＡＳＵ)で窒素ガスを製造する際に副生するものを使用している。また、石炭ガス化炉へ供給する酸化剤流量は、石炭ガス化炉の負荷見合いで増減するべく、図１３に示されるように制御している。
【０００７】
ここで、酸素濃度を計算する際に必要となる窒素ガス量（微粉炭の搬送用の窒素ガス）は、精度の高い計測が難しいため各種状態量に基づいて算出するが、各種状態量の変動によって算出される窒素ガス量も変動する。ガス化炉に投入されるガス中の酸素濃度を一定とすべく制御すると、窒素ガス量の変動に伴って、空気流量及び酸素流量といった酸化剤流量の指令値も変動することとなる。
また、ガスタービンからの抽気を空気昇圧機にて再加圧して使用する上述の空気流量は、空気昇圧機が有するＩＧＶの開閉調整により比較的容易に調整できる。一方、深冷分離方式等による空気分離設備は、応答が遅いため、酸素流量指令値の変動分を予め考慮し、常時酸素及び窒素を放風して運転する必要がある。
【０００８】
石炭ガス化炉の下部にスラグ溶融バーナが設置されている装置において、スラグの溶融には高温が必要なため、空気分離設備で製造された酸素ガスを使用するが、使用時期が予測困難なスラグ溶融バーナのために、常時スラグ溶融バーナが使用する酸素ガス流量分を放風する必要があり、空気分離設備の動力増の要因となっている。
なお、スラグ溶融バーナは、ガス化炉の状態量や石炭性状の変動により、一時的に溶融スラグの排出性が悪くなったときに、加熱し排出性を改善するために使用するものである。
【０００９】
また、上述した制御を考慮し、消費側の変動に対応するために、常時余剰の酸素ガス及び窒素ガスを放風する運転をしており、動力損失の一因となっている。
【００１０】
さらに、ＩＧＣＣプラントが発電出力指令（ＭＷＤ；Mega  Watt  Demand）によって運転されている場合、石炭ガス化炉は、石炭ガス化炉の出口圧力が設定値を維持するように、ＧＩＤに関連付けられた石炭流量や酸化剤流量に基づいて制御されている。しかし、ＧＩＤも変動が多く、これも酸素ガス流量が変動する一因となっている。
【００１１】
本発明は、このような事情に鑑みてなされたものであって、空気から製造された酸素ガスの放風を最小限にすることができる、ガス化発電プラントの制御装置、ガス化発電プラント、及びガス化発電プラントの制御方法を提供することを目的とする。
【課題を解決するための手段】
【００１２】
上記課題を解決するために、本発明のガス化発電プラントの制御装置、ガス化発電プラント、及びガス化発電プラントの制御方法は以下の手段を採用する。
【００１３】
本発明の第一態様に係るガス化発電プラントの制御装置は、空気から酸素ガスと窒素ガスとを分離する空気分離装置、前記酸素ガスを酸化剤として炭素含有燃料をガス化させるガス化炉、及び前記ガス化炉によって生成されたガスをガス精製設備で精製して得られる燃料ガスを燃焼させた燃焼ガスによって駆動するガスタービンを備えるガス化発電プラントの制御装置であって、前記空気分離装置によって製造される前記窒素ガスの製造量を、前記ガス化発電プラントの運転負荷に応じて決定する空気分離量決定部を備え、前記空気分離量決定部によって決定された前記窒素ガスの製造量に応じて副生された酸素ガスの全量を、前記ガス化炉へ供給する。
【００１４】
本発明によれば、ガス化発電プラントは、空気から酸素ガスと窒素ガスとを分離する空気分離装置、前記酸素ガスを酸化剤として炭素含有燃料をガス化させるガス化炉、及びガス化炉によって生成されたガスをガス精製設備で精製して得られる燃料ガスを燃焼させた燃焼ガスによって駆動するガスタービンを備える。炭素含有燃料は例えば石炭である。
【００１５】
ガス化炉へ供給される炭素含有燃料の量は、ガス化発電プラントの運転負荷に応じて定められ、定められた炭素含有燃料の量を搬送するための窒素ガスが必要とされる。そして搬送用の窒素ガスと共に酸素ガスが空気分離装置によって空気から製造される。
【００１６】
従来、空気分離装置によって製造される窒素ガスは、消費側の変動に対応するために酸素ガスと共に余剰に製造し、余剰となった窒素ガス及び酸素ガスは放風されていた。
【００１７】
そこで、上述の空気分離量決定部によって、空気分離装置で製造される窒素ガスの製造量が、ガス化発電プラントの運転負荷に応じて決定され、窒素ガスの製造量に応じて副生された酸素ガスの全量が、ガス化炉へ供給される。
これにより、窒素ガスと共に酸素ガスが余剰に製造されることが無く、副生された酸素ガスの全量がガス化炉へ供給されるので、本発明は、空気から製造された酸素ガスの放風を最小限にすることができる。
【００１８】
上記第一態様では、前記ガス化炉へ供給される酸化剤の合計量を、前記ガスタービンから抽気される空気量によって調整することが好ましい。
【００１９】
本発明によれば、空気分離装置によって製造された酸素ガスの量が少なくても、ガスタービンから空気をガス化炉へ抽気することによって、ガス化炉へ供給されるガスにおける酸素濃度を制御することなく、ガス化炉で消費される酸素ガスの量を満たす酸素をガス化炉へ供給可能とする。
【００２０】
上記第一態様では、前記ガス化発電プラントの運転負荷を前記ガス化発電プラントに対する出力指令値とすることが好ましい。
【００２１】
本発明によれば、ガス化発電プラントに対する出力指令値に基づいて窒素ガスの製造量が決定される。これにより酸素ガスの製造量が一意に決定されることとなる。出力指令値は、ガス化炉に投入される入熱を規定するパラメータであるガス化炉入力指令値に比べて、より安定した値を示すので、窒素ガス並びに酸素ガスの製造量もより安定したものとなる。
【００２２】
上記第一態様では、前記ガス化炉は、ガス化炉内のスラグを溶融するスラグ溶融バーナ
を備え、前記スラグ溶融バーナが用いられる場合、前記空気分離装置で製造された酸素ガスは、炭素含有燃料をガス化させるバーナよりも前記スラグ溶融バーナに優先して供給されることが好ましい。
【００２３】
本発明によれば、スラグ溶融バーナが用いられる場合、製造された酸素ガスが、炭素含有燃料をガス化させるバーナよりも優先してスラグ溶融バーナに供給されるので、スラグ溶融バーナへ常時、酸素ガスを供給する必要が無くなる。あるいは、スラグ溶融バーナで使用される酸素ガスの量を考慮して、常時、酸素ガスを放風する必要が無くなる。
【００２４】
上記第一態様では、前記ガス化発電プラントは、前記ガスタービンの空気圧縮機より抽気した空気又は該空気より分離される酸素を前記ガス化炉の酸化剤として供給する酸化剤供給路を備え、前記ガス化発電プラントが静定状態の場合、炭素含有燃料の理論燃焼酸化剤量に対して前記ガス化炉に供給される酸化剤量の比である空気比を固定とする空気比固定モードとし、前記ガス化炉の運転状態量又は前記ガス化発電プラントの負荷が変動した場合、前記空気比を変動可能とする空気比変動モードとすることが好ましい。
【００２５】
本発明によれば、ガス化発電プラントは、酸化剤を用いて炭素含有燃料をガス化させるガス化炉、ガス化炉によって生成されたガスをガス精製設備で精製して得られる燃料ガスを燃焼させた燃焼ガスによって駆動するガスタービン、及びガスタービンの空気圧縮機より抽気した空気又は該空気より分離される酸素をガス化炉の酸化剤として供給する酸化剤供給路を備える。炭素含有燃料は例えば石炭である。
【００２６】
ガス化炉の運転状態量が変動した場合やガス化発電プラントの負荷が変動した場合でも、従来は、ガス化発電プラントが静定状態の場合と変わらずに、空気比を固定した空気比固定モードで制御していた。しかし、空気比を固定することにより、ガス化炉における他の制御量（例えば酸化剤の供給量）にオーバーシュートが発生し、ガス化発電プラント全体の制御が安定するのに時間を要する場合があった。なお、ガス化炉の運転状態量は、例えばガス化炉で生成されるガスの発熱量（生成ガス発熱量）である。
そこで、本発明は、ガス化炉の運転状態量又はガス化発電プラントの負荷が変動した場合、空気比固定モードから空気比を変動可能とする空気比変動モードへ運転モードが切り替えられる。
【００２７】
ガス化炉の運転状態量又はガス化発電プラントの負荷が変動した場合、空気比変動モードとなることによって、酸化剤量が負荷に応じて変動するので、酸化剤量のオーバーシュートが抑制される。また、酸化剤量のオーバーシュートが抑制されることによって、ガス化炉に供給される炭素含有燃料量に対する酸化剤量が小さくなるため、ガス化炉で生成されるガス中の可燃性ガス（例えばＣＯ）の生成量が増加するので生成ガス発熱量が従来に比べてより速く増加し、より短時間でガス化発電プラントが静定する。
また、酸化剤量のオーバーシュートが抑制されるため、酸化剤の供給設備の容量に対して考慮するオーバーシュート裕度が小さくなるので、該供給設備の容量を従来に比べて小さくできる。また、オーバーシュート裕度が小さくなるほど、該供給設備の設備計画点と通常運転時の運転点とのずれが抑制される。
【００２８】
従って、本構成は、酸化剤の供給設備の容量を増加させることなく、かつプラント全体の制御を迅速に安定させることができる。
【００２９】
上記第一態様では、前記ガス化発電プラントは、前記ガスタービンの空気圧縮機より抽気した空気又は該空気より分離される酸素を前記ガス化炉の酸化剤として供給する酸化剤供給路を備え、前記ガス化炉の運転状態量の変動又は前記ガス化発電プラントの負荷の変動に応じて、炭素含有燃料の理論燃焼酸化剤量に対して前記ガス化炉に供給される酸化剤量の比である空気比が予め定められた設定値からずれることを許容して、前記ガス化炉に供給する酸化剤量を所定の上限値内で制御することが好ましい。
【００３０】
本発明によれば、ガス化発電プラントは、酸化剤を用いて炭素含有燃料をガス化させるガス化炉、ガス化炉によって生成されたガスをガス精製設備で精製して得られる燃料ガスを燃焼させた燃焼ガスによって駆動するガスタービン、及びガスタービンの空気圧縮機より抽気した空気又は該空気より分離される酸素をガス化炉の酸化剤として供給する酸化剤供給路を備える。酸化剤は例えば空気や酸素であり、炭素含有燃料は例えば石炭である。
【００３１】
ガス化炉の運転状態量やガス化発電プラントの負荷が変動した場合でも、従来は、ガス化炉の運転状態を一定に保つべく空気比（ガス化炉に対する炭素含有燃料の理論燃焼酸化剤量に対してガス化炉に供給される酸化剤量の比）を予め定められた設定値に保つように制御していた。しかし、空気比を一定に保つことにより、ガス化炉における他の制御量（例えば酸化剤の供給量）にオーバーシュートが発生し、ガス化発電プラント全体の制御が安定するのに時間を要する場合があった。なお、ガス化炉の運転状態量は、例えばガス化炉で生成されるガスの発熱量（生成ガス発熱量）である。
【００３２】
そこで、本発明は、酸化剤量制御手段によって、ガス化炉の運転状態量又はガス化発電プラントの負荷の変動に応じて、過渡的なガス化炉の運転状態の変動を許容して、すなわち空気比が予め定められた設定値からずれることを許容して、ガス化炉に供給する酸化剤量を所定の上限値内で制御する。なお、上限値は、空気圧縮機がガス化炉へ送気可能な風量に基づく。具体的には、上限値は、空気圧縮機の最大風量に対して裕度を持たせた値である。また、予め定められた設定値からのずれの許容範囲は、例えば設定値に対する相対比で３％、好ましくは５％である。
ガス化炉に供給する酸化剤量の制御量に積極的に上限値が設けられることによって、酸化剤量のオーバーシュートが抑制される。また、上限値が設けられることによって、ガス化炉に供給される炭素含有燃料量に対する酸化剤量が小さくなるため、ガス化炉で生成されるガス中の可燃性ガス（例えばＣＯ）の生成量が増加するので生成ガス発熱量が従来に比べてより速く増加し、より短時間でガス化発電プラントが静定する。
また、上限値が設けられることによって、酸化剤量のオーバーシュートが抑制されるため、酸化剤の供給設備の容量に対して考慮するオーバーシュート裕度が小さくなるので、該供給設備の容量を従来に比べて小さくできる。また、オーバーシュート裕度が小さくなるほど、該供給設備の設備計画点と通常運転時の運転点とのずれが抑制される。
【００３３】
以上説明したように、本発明は、空気比が予め定められた設定値からずれることを許容し、ガス化炉に供給する酸化剤量に上限値を設けるので、酸化剤の供給設備の容量を増加させることなく、かつプラント全体の制御を迅速に安定させることができる。
【００３４】
本発明の第二態様に係るガス化発電プラントは、空気から酸素ガスと窒素ガスとを分離する空気分離装置と、前記酸素ガスを酸化剤として炭素含有燃料をガス化させるガス化炉と、前記ガス化炉によって生成されたガスをガス精製設備で精製して得られる燃料ガスを燃焼させた燃焼ガスによって駆動するガスタービンと、上記記載の制御装置と、を備える。
【００３５】
本発明の第三態様に係るガス化発電プラントの制御方法は、空気から酸素ガスと窒素ガスとを分離する空気分離装置、前記酸素ガスを酸化剤として炭素含有燃料をガス化させるガス化炉、及び前記ガス化炉によって生成されたガスをガス精製設備で精製して得られる燃料ガスを燃焼させた燃焼ガスによって駆動するガスタービンを備えるガス化発電プラントの制御方法であって、前記空気分離装置によって製造される窒素ガスの製造量を、前記ガス化発電プラントの運転負荷に応じて決定する第１工程と、前記空気分離量決定部によって決定された窒素ガスの製造量に応じて副生された酸素ガスの全量を、前記ガス化炉へ供給する第２工程と、を含む。
【発明の効果】
【００３６】
本発明によれば、空気から製造された酸素ガスの放風を最小限にすることができる、という優れた効果を有する。
【図面の簡単な説明】
【００３７】
【図１】本発明の実施形態に係るＩＧＣＣプラントの構成図である。
【図２】本発明の実施形態に係る石炭ガス化炉が有するスラグ溶融バーナへ供給されるガスの経路を示す図である。
【図３】本発明の実施形態に係るＩＧＣＣプラントの制御装置における石炭ガス化炉へのガス供給に関する制御を示す機能ブロック図である。
【図４】本発明の実施形態に係る酸素量決定処理の流れを示すフローチャートである。
【図５】本発明の実施形態に係るＭＷＤと窒素ガスの消費量との関係を示すグラフである。
【図６】本発明の実施形態に係る窒素ガスの製造量と酸素ガスの製造量との関係を示すグラフである。
【図７】本発明の実施形態に係る酸素ガスの製造量とＭＷＤとの関係を示すグラフである。
【図８】本発明の実施形態に係るスラグ溶融バーナを用いる場合における各流量調整弁の開度の変化を示す図である。
【図９】本発明の実施形態に係るスラグ溶融バーナを用いる場合における各流量調整弁の開度の変化を示す他の形態の図である。
【図１０】本発明の変形例に係る石炭ガス化炉の運転状態量の変動に応じた各種状態量の時間変化を示したグラフである。
【図１１】本発明の変形例に係るＩＧＣＣプラントの負荷の変動に応じた各種状態量の時間変化を示したグラフである。
【図１２】従来の石炭ガス化炉におけるＧＩＤと酸素濃度との関係を示すグラフである。
【図１３】従来の石炭ガス化炉におけるＧＩＤと酸化剤流量との関係を示すグラフである。
【発明を実施するための形態】
【００３８】
以下に、本発明に係るガス化発電プラントの制御装置、ガス化発電プラント、及びガス化発電プラントの制御方法の一実施形態について、図面を参照して説明する。
本実施形態では、本発明を、酸化剤を用いて炭素含有燃料をガス化させるガス化炉、ガス化炉によって生成されたガスをガス精製設備で精製して得られる燃料ガスを燃焼させた燃焼ガスによって駆動するガスタービン、及びガス化炉及びガスタービンの排ガスにより加熱された蒸気によって駆動する蒸気タービンを備えるガス化複合発電プラント（以下、「ＩＧＣＣプラント」という。）に適用した場合について説明する。なお、酸化剤の一例を空気及び酸素とし、炭素含有燃料の一例を石炭とする。
【００３９】
図１は、本実施形態に係るＩＧＣＣプラント１の全体の概略構成を示した図である。
図１に示されるように、本実施形態に係るＩＧＣＣプラント１は、主として、石炭ガス化炉３、ガスタービン設備５、蒸気タービン設備７、及び排熱回収ボイラ（以下、「ＨＲＳＧ」という。）３０を備えている。
【００４０】
石炭ガス化炉３の上流側には、石炭ガス化炉３へと微粉炭を供給する石炭供給設備１０が設けられている。この石炭供給設備１０は、原料炭を粉砕して数μｍ〜数百μｍの微粉炭とする粉砕機（図示せず）を備えており、この粉砕機によって粉砕された微粉炭が複数のホッパ１１に貯留されるようになっている。
各ホッパ１１に貯留された微粉炭は、一定流量ずつ空気分離設備（以下、「ＡＳＵ」という。）１５から供給される窒素ガスと共に石炭ガス化炉３へと搬送される。ＡＳＵ１５は、空気から窒素ガス及び酸素ガスを分離し、これらを石炭ガス化炉３へ供給する装置であり、余剰に生成された窒素ガス及び酸素ガスを各々外部へ放風するための弁１５Ａ，１５Ｂが石炭ガス化炉３への供給ラインに設けられている。なお、本実施形態に係るＩＧＣＣプラント１は、詳細を後述するように窒素ガス及び酸素ガスを余剰に生成することなく、放風を最小限にする。
【００４１】
石炭ガス化炉３は、下方から上方へとガスが流されるように形成された石炭ガス化部３ａと、石炭ガス化部３ａの下流側に接続されて、上方から下方へとガスが流されるように形成された熱交換部３ｂとを備えている。
石炭ガス化部３ａには、下方から、コンバスタ１３及びリダクタ１４が設けられている。コンバスタ１３は、微粉炭及びチャーの一部分を燃焼させてＣＯ２を生成し、残りは熱分解により揮発分（ＣＯ、Ｈ２、低級炭化水素）として放出させる部分である。コンバスタ１３には噴流床が採用されている。しかし、コンバスタ１３は、流動床式や固定床式であっても構わない。
【００４２】
コンバスタ１３及びリダクタ１４には、それぞれ、コンバスタバーナ１３ａ及びリダクタバーナ１４ａが設けられており、コンバスタバーナ１３ａ及びリダクタバーナ１４ａに対して石炭供給設備１０から微粉炭が供給される。
コンバスタバーナ１３ａには、ガスタービン設備５の空気圧縮機５ｃより抽気した空気が空気昇圧機１７及び酸化剤供給路８を介して、ＡＳＵ１５において分離された酸素ガスと共に酸化剤として供給されるようになっている。このようにコンバスタバーナ１３ａには酸素濃度が調整された空気が供給されるようになっている。なお、空気圧縮機５ｃより抽気した空気は、ＡＳＵ１５にて酸素が分離され、分離された酸素が酸化剤供給路８を介して、コンバスタバーナ１３ａに供給されてもよい。
【００４３】
リダクタ１４では、コンバスタ１３からの高温燃焼ガスによって微粉炭がガス化される。これにより、石炭からＣＯやＨ２等の気体燃料となる可燃性ガスが生成される。石炭ガス化反応は、微粉炭及びチャー中の炭素が高温ガス中のＣＯ２及びＨ２Ｏと反応してＣＯやＨ２を生成する吸熱反応である。
【００４４】
石炭ガス化炉３は、空気圧縮機５ｃから供給される供給空気と石炭とを反応させてガスを生成する。具体的には、石炭ガス化炉３の熱交換部３ｂには、複数の熱交換器（図示略）が設置されており、リダクタ１４から導かれる生成ガスから顕熱を得て蒸気を発生させるようになっている。熱交換器において発生した蒸気は、主として、蒸気タービン７ｂの駆動用蒸気として用いられる。熱交換部３ｂを通過した生成ガスは、除塵設備２０へと導かれる。この除塵設備２０は、ポーラスフィルタを備えており、ポーラスフィルタに生成ガスを通過させることによって生成ガスに混在する未燃分を含むチャーを捕捉して回収する。捕捉されたチャーは、ポーラスフィルタに堆積してチャー層を形成している。チャー層には、生成ガスに含まれるＮａ分及びＫ分が凝縮し、結果的に除塵設備２０においてＮａ分及びＫ分も除去される。
【００４５】
このように回収されたチャーは、ＡＳＵ１５から供給される窒素ガスと共に石炭ガス化炉３のチャーバーナ２１へと返送されてリサイクルされる。なお、チャーと共にチャーバーナ２１へと返送されたＮａ分及びＫ分は、最終的に溶融した微粉炭の灰と共に石炭ガス化部３ａの下方から排出される。溶融排出された灰は水で急冷、破砕されガラス状のスラグとなる。
【００４６】
除塵設備２０を通過した生成ガスは、ガス精製設備２２によって精製されて、燃料ガスとしてガスタービン設備５の燃焼器５ａへと送られる。
【００４７】
ガスタービン設備５は、生成ガスをガス精製設備２２で精製して得られる燃料ガスが燃焼させられる燃焼器５ａと、燃焼ガスによって駆動されるガスタービン５ｂと、燃焼器５ａへと高圧空気を送り出す空気圧縮機５ｃとを備えている。ガスタービン５ｂと空気圧縮機５ｃとは同一の回転軸５ｄによって接続されている。空気圧縮機５ｃにおいて圧縮された空気は、抽気されて燃焼器５ａとは別に、空気昇圧機１７へも導かれるようになっている。
【００４８】
ガスタービン５ｂを通過した燃焼排ガスは、ＨＲＳＧ３０へと導かれる。
蒸気タービン設備７の蒸気タービン７ｂは、ガスタービン設備５と同じ回転軸５ｄに接続されており、いわゆる一軸式のコンバインドシステムとなっている。蒸気タービン７ｂには、石炭ガス化炉３及びＨＲＳＧ３０から高圧蒸気が供給される。なお、一軸式のコンバインドシステムに限らず、二軸式のコンバインドシステムであっても構わない。
ガスタービン５ｂ及び蒸気タービン７ｂによって駆動される回転軸５ｄから電気を出力する発電機Ｇが、蒸気タービン設備７を挟んでガスタービン設備５の反対側に設けられている。なお、発電機Ｇの配置位置については、この位置に限られず、回転軸５ｄから電気出力が得られるようであればどの位置であっても構わない。
ＨＲＳＧ３０は、ガスタービン５ｂからの燃焼排ガスによって蒸気を発生すると共に、燃焼排ガスを煙突３１から大気へと放出する。
【００４９】
次に、上記構成の石炭ガス化炉３を適用したＩＧＣＣプラント１の動作について説明する。
原料炭は粉砕機（図示せず）で粉砕された後、ホッパ１１へと導かれて貯留される。ホッパ１１に貯留された微粉炭は、ＡＳＵ１５において分離された窒素ガスと共に、リダクタバーナ１４ａ及びコンバスタバーナ１３ａへと供給される。さらに、チャーバーナ２１には、除塵設備２０において回収されたチャーが供給される。
【００５０】
コンバスタバーナ１３ａの燃焼用気体としては、ガスタービン設備５の空気圧縮機５ｃから抽気され、空気昇圧機１７によってさらに昇圧された圧縮空気に、ＡＳＵ１５において分離された酸素ガスが添加されて使用される。コンバスタ１３では、微粉炭及びチャーが燃焼用空気によって部分燃焼させられてＣＯ２を生成し、残部は揮発分（ＣＯ，Ｈ２，低級炭化水素）へと熱分解させられる。
リダクタ１４では、リダクタバーナ１４ａから供給された微粉炭及びコンバスタ１３内で揮発分を放出したチャーが、コンバスタ１３から上昇してきた高温ガスによりガス化され、ＣＯやＨ２等の可燃性ガスが生成される。
【００５１】
リダクタ１４を通過した生成ガスは、石炭ガス化炉３の熱交換部３ｂを通過しつつ各熱交換器にその顕熱を与え、蒸気を発生させる。熱交換部３ｂで発生させた蒸気は、主として、蒸気タービン７ｂの駆動のために用いられる。
熱交換部３ｂを通過した生成ガスは、除塵設備２０へと導かれ、チャーが回収される。生成ガス中のＮａ分及びＫ分は、ここで凝縮してチャーに取り込まれる。回収されたＮａ分及びＫ分を含むチャーは、石炭ガス化炉３へと返送される。
【００５２】
除塵設備２０を通過した生成ガスは、ガス精製設備２２で精製された後ガスタービン設備５の燃焼器５ａへと導かれ、空気圧縮機５ｃから供給される圧縮空気と共に燃焼させられる。この燃焼ガスによってガスタービン５ｂが回転させられ、回転軸５ｄが駆動させられる。
【００５３】
ガスタービン５ｂを通過した燃焼排ガスは、ＨＲＳＧ３０へと導かれ、この燃焼排ガスの顕熱を利用することによって蒸気が発生させられる。ＨＲＳＧ３０において発生した蒸気は、主として、蒸気タービン７ｂの駆動のために用いられる。
蒸気タービン７ｂは、石炭ガス化炉３からの蒸気及びＨＲＳＧ３０からの蒸気によって回転させられ、ガスタービン設備５と同一の回転軸５ｄを駆動させる。回転軸５ｄの回転力は、発電機Ｇによって電気出力へと変換される。
【００５４】
図２は、石炭ガス化炉３が有するスラグ溶融バーナ４０へ供給されるガスの経路を示す図である。図２は、スラグ溶融バーナ４０と共にコンバスタバーナ１３ａへ供給されるガスの経路も示す。
図２に示されるように、コンバスタバーナ１３ａには石炭供給設備１０からの石炭、空気昇圧機１７からの空気、及びＡＳＵ１５で製造された酸素ガスが供給される。また、スラグ溶融バーナ４０には燃料ガスと共にＡＳＵ１５で製造された酸素ガスが供給される。
コンバスタバーナ１３ａへの空気の供給ラインには流量調整弁４２ａが設けられ、コンバスタバーナ１３ａへの酸素ガスの供給ラインには流量調整弁４２ｂが設けられ、スラグ溶融バーナ４０への酸素ガスの供給ラインには流量調整弁４２ｃが設けられている。
【００５５】
なお、チャーバーナ２１への空気の供給ラインにも流量調整弁４２ａと同様の流量調整弁が設けられており、チャーバーナ２１への酸素ガスの供給ラインにも流量調整弁４２ｂと同様の流量調整弁が設けられている。
【００５６】
図３は、ＩＧＣＣプラント１の制御を司る制御装置５０の機能を示すブロック図である。なお、図３では、石炭ガス化炉３へのガス供給に関する制御に係る機能を示している。
制御装置５０は、例えば、ＣＰＵ（Central  Processing  Unit）、ＲＡＭ（Random  Access  Memory）、及びコンピュータ読み取り可能な記録媒体等から構成されている。そして、後述する空気分離量決定部５２、必要酸化剤流量決定部５４、抽気量決定部５６、及びバーナ弁開度決定部５８の各種機能を実現するための一連の処理は、一例として、プログラムの形式で記録媒体等に記録されており、このプログラムをＣＰＵがＲＡＭ等に読み出して、情報の加工・演算処理を実行することにより、各種機能が実現される。
【００５７】
空気分離量決定部５２は、ＡＳＵ１５による窒素ガスの製造量（流量）を、ＩＧＣＣプラント１の運転負荷に応じて決定する。なお、窒素ガスの製造量に伴い、ＡＳＵ１５による酸素ガスの製造量（流量）も一意に決定される。
【００５８】
必要酸化剤流量決定部５４は、ＩＧＣＣプラント１の運転負荷に応じた石炭ガス化炉３が必要とする酸化剤流量（以下、「必要酸化剤流量」という。）を決定する。
【００５９】
抽気量決定部５６は、ＡＳＵ１５による酸素ガスの製造量と必要酸素量との差分、すなわち必要酸化剤流量の不足分に基づいて、不足する酸素ガス量を満たす空気流量を算出し、ガスタービン設備５が備える空気圧縮機５ｃから石炭ガス化炉３への抽気量を決定する。すなわち、石炭ガス化炉３へ供給される酸化剤の合計量は、ガスタービン設備５から抽気される空気量によって調整される。
【００６０】
バーナ弁開度決定部５８は、の各種バーナへのガスの供給ラインに設けられている流量調整弁（流量調整弁４２ａ，４２ｂ，４２ｃ等）の開度を決定する。
【００６１】
図４は、制御装置５０で実行される酸素量の決定に関する処理（以下、「酸素量決定処理」という。）の流れを示すフローチャートである。
【００６２】
まず、ステップ１００では、ＩＧＣＣプラント１の運転負荷を示す指標として、ＩＧＣＣプラント１に対する出力指令（本実施形態では発電出力指令値、以下、「ＭＷＤ」という。）を決定する。
ここで、ＩＧＣＣプラント１の運転負荷を示す指標として、ＭＷＤの他に、例えば石炭ガス化炉３に投入される入熱を規定するパラメータであるガス化炉入力指令（以下、「ＧＩＤ」という。）がある。ＭＷＤは、ＧＩＤに比べて、より安定した値を示すので、ＡＳＵ１５による窒素ガス並びに酸素ガスの製造量もより安定したものとなる。
【００６３】
次のステップ１０２では、決定したＭＷＤに基づいたＡＳＵ１５による窒素ガスの製造量を決定する。
図５は、ＭＷＤと窒素ガスの消費量との関係を示すグラフである。石炭及びチャーをガス化炉１３へ搬送するための窒素ガスの消費量は、過渡的な変動により、図５に示されるように幅を有している。このためステップ１０４では、該幅の最大値をＡＳＵ１５による窒素ガスの製造量として決定する。なお、ＭＷＤが大きいほど、窒素ガスの製造量は多くなる。
【００６４】
次のステップ１０４では、酸素ガスの製造量を決定する。
図６は、窒素ガスの製造量と酸素ガスの製造量との関係を示すグラフである。図６に示されるように、窒素ガスの製造量に応じて酸素ガスの製造量がＡＳＵ１５の特性により一意に決定される。
図７は、ＭＷＤと酸素ガスの製造量との関係を示すグラフである。図７に示されるように、酸素ガスの製造量は、ＭＷＤに対する関数として設定されることとなる。この設定した関数を用いることにより、制御装置５０は、簡易に酸素ガスの製造量を決定することができる。
【００６５】
なお、ステップ１０２，１０４の処理は、空気分離量決定部５２の機能に相当する。
【００６６】
また、ステップ１００の次のステップ１０６では、ＭＷＤに基づいて必要酸化剤流量を算出する。ステップ１０６は、ステップ１０２，１０４に並行して行われる。
なお、ステップ１０６の処理は、必要酸化剤流量決定部５４の機能に相当する。
【００６７】
ステップ１０４，１０６の次のステップ１０８では、必要酸化剤流量の不足分を算出する。本実施形態に係るＩＧＣＣプラント１は、製造した酸素ガスの全量を石炭ガス化炉３へ供給するが、必要酸化剤流量の全てを製造した酸素ガスで賄えるとは限らないため、必要酸化剤流量の不足分を算出する。
【００６８】
次のステップ１１０では、必要酸化剤流量の不足分に基づいて、空気圧縮機５ｃから石炭ガス化炉３への抽気量を決定する。
これにより、石炭ガス化炉３の空気比制御は、ガスタービン５ｂから抽気した空気により調整されることとなり、酸素濃度そのものは制御されないこととなる。
【００６９】
なお、ステップ１０８，１１０の処理は、抽気量決定部５６の機能に相当する。
【００７０】
このように、制御装置５０は、ＭＷＤに基づいてＡＳＵ１５を運転し、製造した酸素ガス及び窒素ガスの全量を石炭ガス化炉３へ供給し、算出した抽気量に基づいて空気圧縮機５ｃから石炭ガス化炉３へ空気を供給する。
従って、ＩＧＣＣプラント１は、窒素ガスと共に酸素ガスを余剰に製造することが無く、製造された酸素ガスの全量が石炭ガス化炉３へ供給するので、空気から製造された酸素ガスの放風を最小限にすることができる。
【００７１】
次に、スラグ溶融バーナ４０を流量調整弁４２ａ，４２ｂ，４２ｃの開度制御について説明する。
【００７２】
本実施形態に係るＩＧＣＣプラント１は、スラグ溶融バーナ４０が用いられる場合、製造された酸素ガスが、コンバスタバーナ１３ａ及びチャーバーナ２１よりも優先してスラグ溶融バーナ４０に供給される。これにより、ＩＧＣＣプラント１は、スラグ溶融バーナ４０へ常時、酸素ガスを供給する必要が無くなる。あるいは、スラグ溶融バーナ４０で使用される酸素ガスの量を考慮して、常時、酸素ガスを放風する必要が無くなる。
【００７３】
図８は、スラグ溶融バーナ４０を用いる場合における流量調整弁４２ａ，４２ｂ，４２ｃの開度の変化を示す図である。
【００７４】
スラグ溶融バーナ４０を用いる場合には、燃料ガスがスラグ溶融バーナ４０へ供給されると共に、流量調整弁４２ｃが開かれ、ＡＳＵ１５で製造された酸素ガスがスラグ溶融バーナ４０へ供給される。
【００７５】
この場合、流量調整弁４２ｃを流れる酸素ガス流量に応じて、コンバスタバーナ１３ａへ酸素ガス流量を調整する流量調整弁４２ｂは絞られる。一方、コンバスタバーナ１３ａへ空気流量を調整する流量調整弁４２ａの開度は、変化しない。すなわち、コンバスタバーナ１３ａへの酸化剤流量は一時的に低下する。
【００７６】
図９は、スラグ溶融バーナ４０を用いる場合における流量調整弁４２ａ，４２ｂ，４２ｃの開度の変化の他の形態を示す図である。
図９に示される形態では、スラグ溶融バーナ４０を用いる場合、流量調整弁４２ｂを絞ることにより減少した酸素ガス量を補うように、流量調整弁４２ａが開かれる。これにより、コンバスタバーナ１３ａへ供給される酸化剤に含まれる酸素量が維持される。
【００７７】
以上説明したように、本実施形態に係るＩＧＣＣプラント１は、空気から酸素ガスと窒素ガスとを分離するＡＳＵ１５、酸化剤を用いて石炭をガス化させる石炭ガス化炉３、及び石炭ガス化炉３によって生成されたガスをガス精製設備２２で精製して得られる燃料ガスを燃焼させた燃焼ガスによって駆動するガスタービン５ｂを備える。ＩＧＣＣプラント１の制御装置５０は、ＡＳＵ１５によって製造される窒素ガスの製造量を、ＩＧＣＣプラント１の運転負荷に応じて決定する空気分離量決定部５２を備え、決定した窒素ガスの製造量に応じて副生された酸素ガスの全量を、石炭ガス化炉３へ供給させる。
従って、ＩＧＣＣプラント１は、空気から製造された酸素ガスの放風を最小限にすることができる。
【００７８】
（変形例１）
上記実施形態の制御に加えて制御装置５０は、ＩＧＣＣプラント１の運転モードを、ＩＧＣＣプラント１が静定状態の場合、空気比を固定とする空気比固定モードとし、石炭ガス化炉３の運転状態量又はＩＧＣＣプラント１の負荷が変動した場合、空気比を変動可能とする空気比変動モードとしてもよい。なお、空気比は、炭素含有燃料の理論燃焼酸化剤流量に対して石炭ガス化炉３に供給される酸化剤流量の比である。
【００７９】
石炭ガス化炉３の運転状態量が変動した場合（図１０参照）やＩＧＣＣプラント１の負荷が変動した場合（図１１参照）でも、従来は、ＩＧＣＣプラント１が静定状態の場合と変わらずに、空気比を固定した空気比固定モードで制御していた。なお、空気比を固定した制御とは、換言すると空気比を一定に保つ制御である。しかし、空気比を固定することにより、石炭ガス化炉３における他の制御量（例えば酸化剤流量）にオーバーシュートが発生し、ＩＧＣＣプラント１全体の制御が安定するのに時間を要する場合があった。
【００８０】
そこで、制御装置５０は、石炭ガス化炉３の運転状態量の変動又はＩＧＣＣプラント１の負荷が変動した場合、空気比固定モードから空気比を変動可能とする空気比変動モードへ運転モードを切り替える。
【００８１】
石炭ガス化炉３の運転状態量又はＩＧＣＣプラント１の負荷が変動した場合、空気比変動モードとなることによって、酸化剤流量が負荷に応じて変動するので、酸化剤流量のオーバーシュートが抑制される。また、酸化剤流量のオーバーシュートが抑制されることによって、石炭ガス化炉３に供給される炭素含有燃料量に対する酸化剤流量が小さくなるため、石炭ガス化炉３で生成されるガス中の可燃性ガス（例えばＣＯ）の生成量が増加するので生成ガス発熱量が従来に比べてより速く増加し、より短時間でＩＧＣＣプラント１が静定する。
【００８２】
また、酸化剤流量のオーバーシュートが抑制されるため、酸化剤の供給設備である空気昇圧機１７の容量に対して考慮するオーバーシュート裕度が小さくなるので、空気昇圧機１７の容量を従来に比べて小さくできる。また、オーバーシュート裕度が小さくなるほど、空気昇圧機１７の設備計画点と通常運転時の運転点とのずれが抑制される。
【００８３】
従って、ＩＧＣＣプラント１は、空気昇圧機１７の容量を増加させることなく、かつプラント全体の制御を迅速に安定させることができる。
【００８４】
ここで、石炭ガス化炉３の運転状態量が変動する原因、換言するとＩＧＣＣプラント１の発電出力にハンチングが発生する原因は、以下のためである。
ガスタービン５ｂへの燃料供給量が増加すると、図１０のガス化炉圧力の時間変化の領域Ａで示されるように、実際のガス化炉圧力（計測値）とガス化炉圧力の設定値との偏差が拡大する。これに伴い、図１０の酸化剤流量の時間変化の領域Ｂで示されるように、ガスタービン５ｂの空気圧縮機５ｃからの抽気量が増加し、ＩＧＣＣプラント１の発電出力が減少する。
すなわち、石炭ガス化炉３の運転状態量が変動する原因は、ガス化炉圧力の計測値とガス化炉圧力の設定値との偏差が大きくなることにあると考えられる。なお、ＩＧＣＣプラント１が静定時の場合は、ガス化炉圧力の設定値との偏差は０又は小さい。
【００８５】
そこで、制御装置５０は、ガス化炉圧力の計測値とガス化炉圧力の設定値との偏差が静定時に比べ大きくなった場合に、ＩＧＣＣプラント１の負荷が変動したと判断し、運転モードを空気比変動モードに設定する。
【００８６】
また、ＩＧＣＣプラント１として、蒸気タービン設備７の駆動軸がガスタービン５ｂの駆動軸と同軸でないプラントがある。このようなＩＧＣＣプラント１では、ＩＧＣＣプラント１の負荷が変動した場合を、ガスタービン５ｂの出力が増加しない一方で、ＧＩＤが増加する場合とする。ＧＩＤが増加すると、図１０の石炭流量の時間変化の領域Ｃで示されるように、石炭流量が増加する。
【００８７】
このようなＩＧＣＣプラント１の制御装置５０は、ガスタービン５ｂの出力が増加しない一方で、ＧＩＤが増加した場合に、ＩＧＣＣプラント１の負荷が変動したと判断し、運転モードを空気比変動モードに設定する。
【００８８】
（変形例２）
上記実施形態の制御に加えて制御装置５０は、石炭ガス化炉３の運転状態量の変動又はＩＧＣＣプラント１の負荷の変動に応じて、空気比が予め定められた設定値からずれることを許容して、石炭ガス化炉３に供給する酸化剤流量を所定の上限値内で制御する。
【００８９】
石炭ガス化炉３の運転状態量が変動した場合やＩＧＣＣプラント１の負荷が変動した場合でも、従来は、石炭ガス化炉３の運転状態を一定に保つべく空気比を予め定められた設定値に保つように制御していた。しかし、空気比を一定に保つことにより、石炭ガス化炉３における他の制御量（例えば酸化剤流量）にオーバーシュートが発生し、ＩＧＣＣプラント１全体の制御が安定するのに時間を要する場合があった。
【００９０】
そこで、制御装置５０は、石炭ガス化炉３の運転状態量の変動又はＩＧＣＣプラント１の負荷の変動に応じて、過渡的な石炭ガス化炉３の運転状態の変動を許容して、すなわち空気比が予め定められた設定値からずれることを許容して、石炭ガス化炉３に供給する酸化剤流量を所定の上限値内で制御する（図１０，１１の酸化剤流量の時間変化を参照）。なお、上限値は、空気圧縮機５ｃが石炭ガス化炉３へ送気可能な風量に基づく。具体的には、上限値は、空気圧縮機５ｃの最大風量に対して裕度を持たせた値である。また、予め定められた設定値からのずれの許容範囲は、例えば設定値に対する相対比で３％、好ましくは５％である。
【００９１】
石炭ガス化炉３に供給する酸化剤流量の制御量に積極的に上限値が設けられることによって、酸化剤流量のオーバーシュートが抑制される。また、上限値が設けられることによって、石炭ガス化炉３に供給される炭素含有燃料量に対する酸化剤流量が小さくなるため、石炭ガス化炉３で生成されるガス中の可燃性ガス（例えばＣＯ）の生成量が増加するので生成ガス発熱量が従来に比べてより速く増加し、より短時間でＩＧＣＣプラント１が静定する。
【００９２】
また、上限値が設けられることによって、酸化剤流量のオーバーシュートが抑制されるため、空気昇圧機１７の容量に対して考慮するオーバーシュート裕度が小さくなるので、空気昇圧機１７の容量を従来に比べて小さくできる。また、オーバーシュート裕度が小さくなるほど、空気昇圧機１７の設備計画点と通常運転時の運転点とのずれが抑制される。
【００９３】
以上説明したように、制御装置５０は、空気比が予め定められた設定値からずれることを許容し、石炭ガス化炉３に供給する酸化剤流量に上限値を設けるので、空気昇圧機１７の容量を増加させることなく、かつプラント全体の制御を迅速に安定させることができる。
【００９４】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００９５】
また、上記実施形態では、本発明に係るガス化発電プラントとして、蒸気タービン設備７を備えたＩＧＣＣプラント１とする形態について説明したが、本発明は、これに限定されるものではなく、例えば、蒸気タービン設備を備えないガス化発電プラントに適用する形態としてもよい。
【００９６】
また、上記各実施形態では、ＡＳＵ１５で製造される窒素ガスの製造量に応じて副生された酸素ガスの全量を石炭ガス化炉３へ供給する形態について説明したが、本発明は、これに限定されるものではなく、窒素ガスの製造量に応じて副生された酸素ガスの略全量を石炭ガス化炉３へ供給する形態としてもよい。
なお、略全量における略とは、酸素ガスの供給ラインにおける酸素ガスの漏れ等を許容する意味である。
【００９７】
また、上記各実施形態では、ＭＷＤに基づいて算出される必要酸化剤流量から抽気量を決定する形態について説明したが、本発明は、これに限定されるものではなく、各ＭＷＤに対する抽気量を予め決定しておき、ＭＷＤに基づいて抽気量を決定する形態としてもよい。
【００９８】
また、上記各実施形態では、石炭ガス化炉３の運転状態量の変動の有無をガス化炉圧力の計測値と設定値との偏差に基づいて判断する形態について説明したが、本発明は、これに限定されるものではなく、石炭ガス化炉３の出口圧力の計測値と設定値との偏差、ガス精製設備２２の出口圧力の計測値と設定値との偏差、またはガスタービン５ｂの入口圧力の計測値と設定値との偏差に基づいて決定する形態としてもよい。
【符号の説明】
【００９９】
１    ＩＧＣＣプラント
３    石炭ガス化炉
５ｂ  ガスタービン
１５  ＡＳＵ
２２  ガス精製設備
５０  制御装置
５２  空気分離量決定部
４０  スラグ溶融バーナ
【図１】
2014214706.tif 000003
【図２】
2014214706.tif 000004
【図３】
2014214706.tif 000005
【図４】
2014214706.tif 000006
【図５】
2014214706.tif 000007
【図６】
2014214706.tif 000008
【図７】
2014214706.tif 000009
【図８】
2014214706.tif 000010
【図９】
2014214706.tif 000011
【図１０】
2014214706.tif 000012
【図１１】
2014214706.tif 000013
【図１２】
2014214706.tif 000014
【図１３】
2014214706.tif 000015